(57)【特許請求の範囲】
【請求項１】
ディスクを所定間隔で軸に串装してディスク軸を形成するとともに、複数のディスク軸を隣接するディスク軸のディスク同士が互いに噛み合うように平行に配列し、各ディスク軸を同方向に連動して回転駆動する動力伝達機構を備えたディスク型スクリーンにおいて、動力伝達機構を、ディスク軸の上部に同軸に設けたディスク軸ギヤと、隣接するディスク軸ギヤ間の動力伝達を行うアイドルギヤと、該ディスク軸ギヤとアイドルギヤを収容するギヤボックスとを備えて構成するとともに、アイドルギヤの軸心をディスク軸ギヤの軸心を結ぶ線からずらせて配設して、アイドルギヤをギヤボックスから取り外し可能に構成し、かつ、アイドルギヤを取り外したギヤボックスを隣接するディスク軸ギヤの間で分離可能に構成したことを特徴とするディスク型スクリーン。
【請求項２】
ギヤボックスを水密構造に構成したことを特徴とする請求項１記載のディスク型スクリーン。
【請求項３】
分離する１つのギヤボックスで１本のディスク軸に対応し、ギヤボックスを連結しディスク軸を配列して、所定幅のスクリーンを形成するようにしたことを特徴とする請求項１又は２記載のディスク型スクリーン。
【発明の詳細な説明】
【技術分野】
【０００１】
本発明は、ディスク型スクリーンに関し、特に、装置全体を吊り上げることなく、該当するディスク軸のみを吊り上げて点検修理をすることができるディスク型スクリーンに関するものである。
【背景技術】
【０００２】
ディスク型スクリーンは、例えば、河川や湖沼等より灌概用水や発電所の冷却水、上水用水等の取水口に設置し、取水口に流入するごみを阻止し、かつ阻止したごみを下流方向に流下させて、取水口にてごみを回収しないようにする場合に使用されている。
【０００３】
このディスク型スクリーンは、ディスクを所定間隔で軸に串装してディスク軸を形成するとともに、複数のディスク軸を隣接するディスク軸のディスク同士が互いに噛み合うように平行に配列し、各ディスク軸を同方向に連動して回転駆動する動力伝達機構を設けている（特許文献１参照）。
従来の動力伝達機構は、チェーン駆動により、複数のディスク軸を同方向に連動して回転駆動するようにしていた。
【０００４】
図８〜図９に、従来のチェーン駆動のディスク型スクリーンを示す。
このディスク型スクリーンの動力伝達機構は、ディスク軸２の上部に同軸に設けたディスク軸スプロケット８１と、これら複数のディスク軸スプロケット８１を同方向に連動して駆動するチェーン８２と、このチェーン８２を駆動する駆動スプロケット８３及びモータ７とを備えている。
チェーン８２は、案内スプロケット８４を介して、チェーン緊張装置８５のテイクアップスプロケット８６に架設されており、このチェーン緊張装置８５を緩めることによりディスク軸スプロケット８１をチェーン８２から取り外すことができる。
【０００５】
ところで、上記従来の動力伝達機構では、点検修理において、ディスク軸を取り外す場合、このディスク軸を配列したディスク型スクリーン全体を吊り上げて作業する必要があるが、ディスク型スクリーンは重量があり、また設置場所が河川敷等であることが多いため、大きな重機の設置がしにくいなどの問題があった。
【特許文献１】特開平０６−２２６０１５号公報
【発明の開示】
【発明が解決しようとする課題】
【０００６】
本発明は、上記従来のディスク型スクリーンが有する問題点に鑑み、装置全体を吊り上げることなく、該当するディスク軸のみを吊り上げて点検修理をすることができ、維持管理性に優れたディスク型スクリーンを提供することを目的とする。
【課題を解決するための手段】
【０００７】
上記目的を達成するため、本発明のディスク型スクリーンは、ディスクを所定間隔で軸に串装してディスク軸を形成するとともに、複数のディスク軸を隣接するディスク軸のディスク同士が互いに噛み合うように平行に配列し、各ディスク軸を同方向に連動して回転駆動する動力伝達機構を備えたディスク型スクリーンにおいて、動力伝達機構を、ディスク軸の上部に同軸に設けたディスク軸ギヤと、隣接するディスク軸ギヤ間の動力伝達を行うアイドルギヤと、該ディスク軸ギヤとアイドルギヤを収容するギヤボックスとを備えて構成するとともに、アイドルギヤの軸心をディスク軸ギヤの軸心を結ぶ線からずらせて配設して、アイドルギヤをギヤボックスから取り外し可能に構成し、かつ、アイドルギヤを取り外したギヤボックスを隣接するディスク軸ギヤの間で分離可能に構成したことを特徴とする。
【０００８】
この場合において、ギヤボックスを水密構造に構成することができる。
【０００９】
また、分離する１つのギヤボックスで１本のディスク軸に対応し、ギヤボックスを連結しディスク軸を配列して、所定幅のスクリーンを形成することができる。
【発明の効果】
【００１０】
本発明のディスク型スクリーンによれば、ディスクを所定間隔で軸に串装してディスク軸を形成するとともに、複数のディスク軸を隣接するディスク軸のディスク同士が互いに噛み合うように平行に配列し、各ディスク軸を同方向に連動して回転駆動する動力伝達機構を備えたディスク型スクリーンにおいて、動力伝達機構を、ディスク軸の上部に同軸に設けたディスク軸ギヤと、隣接するディスク軸ギヤ間の動力伝達を行うアイドルギヤと、該ディスク軸ギヤとアイドルギヤを収容するギヤボックスとを備えて構成するとともに、アイドルギヤの軸心をディスク軸ギヤの軸心を結ぶ線からずらせて配設して、アイドルギヤをギヤボックスから取り外し可能に構成し、かつ、アイドルギヤを取り外したギヤボックスを隣接するディスク軸ギヤの間で分離可能に構成することにより、２個のアイドルギヤを抜き取って、その間のディスク軸ギヤをギヤボックスごと取り外すことにより、１本のディスク軸のみを吊り上げて容易に取り外すことができ、これにより、該当するディスク軸のみを点検修理し、維持管理性を向上させることができる。
この場合、アイドルギヤをディスク軸ギヤの軸心を結ぶ線からずらせて配設することにより、容易にアイドルギヤを抜き出せる構造とし、アイドルギヤの抜き取り後にその間のディスク軸ギヤとギヤボックスを容易に外せる構造としている。
【００１１】
また、ギヤボックスを水密構造に構成することにより、ディスク型スクリーンの水位を超え動力伝達機構が水没した場合でも、ディスク軸を回転させてディスク型スクリーンの運転を続けることができる。
【００１２】
また、分離する１つのギヤボックスで１本のディスク軸に対応し、ギヤボックスを連結しディスク軸を配列して、所定幅のスクリーンを形成することにより、ディスク型スクリーンを設置する取水口の幅に応じ、ディスク軸数の増減で容易に対応することができる。
【発明を実施するための最良の形態】
【００１３】
以下、本発明のディスク型スクリーンの実施の形態を、図面に基づいて説明する。
【実施例１】
【００１４】
図１〜図７に、本発明のディスク型スクリーンの一実施例を示す。
このディスク型スクリーンは、ディスク１を所定間隔で軸に串装してディスク軸２を形成するとともに、複数のディスク軸２を隣接するディスク軸２のディスク１同士が互いに噛み合うように平行に配列し、各ディスク軸２を同方向に連動して回転駆動する動力伝達機構を設けている。
そして、このディスク型スクリーンは、動力伝達機構を、ディスク軸２の上部に同軸に設けたディスク軸ギヤ３と、隣接するディスク軸ギヤ３間の動力伝達を行うアイドルギヤ４と、該ディスク軸ギヤ３とアイドルギヤ４を収容するギヤボックス５とを備えて構成するとともに、アイドルギヤ４の軸心４３をディスク軸ギヤ３の軸心３２を結ぶ線からずらせて配設し、かつギヤボックス５を隣接するディスク軸ギヤ３の間で分離可能に構成するようにしている。
【００１５】
ディスク軸２は、金属円板のディスク１を一定間隔で軸に串装してなり、隣接するディスク軸２のディスク１が互いに噛み合うように、一方のディスク軸２のディスク１間に他方のディスク軸２のディスク１が挿入されている。
また、ディスク軸２は、その軸下部がフレームの軸受け６に回動可能に嵌挿されるとともに、軸上部がディスク軸ギヤ３のカップリング３１に一体に回転するように固定されている。
すなわち、ディスク軸２は、図４に示すように、その上のディスク軸ギヤ３とギヤボックス５を前方に引き抜くことにより、同時にディスク軸２を前方にずらせて隣接するディスク軸２との噛み合いから外し、１本単位で吊り上げて取り外すことができる。
【００１６】
ギヤボックス５は、隣接するディスク軸ギヤ３の間で分離可能なように分割されており、分離する１つのギヤボックス５ａで１本のディスク軸２に対応し、このギヤボックス５ａを連結することによりディスク軸２を配列し、所定幅のスクリーンを形成するようにしている。
連結されたギヤボックス５ａは、各軸貫通部やギヤボックス蓋５１にオイルシール５２やＯリングを用いた水密構造であり、内部の潤滑油漏れを防ぐとともに、増水による水没時の止水を行い水中での運転を可能な構造としている。
なお、分割したギヤボックス５は、アイドルギヤ４の軸下部嵌合部４１とアイドルギヤ４の蓋体４２（軸押さえ）の外周部とで位置決めすることにより、固定のずれ止め構造としている。
【００１７】
ディスク軸ギヤ３は、ディスク軸２の上にカップリング３１を介して連結されており、一定間隔で一直線上に配設され、中央の１つがモータ７により回転する。
アイドルギヤ４は、図２（ａ）に示すように、ディスク軸ギヤ３の軸心３２を結ぶ線から軸心４３をずらせて前方に配設されており、隣接するディスク軸ギヤ３と歯合することによりディスク軸ギヤ３間の動力伝達を行う。
アイドルギヤ４をディスク軸ギヤ３の軸心３２を結ぶ線からずらせて前方に配設することにより、アイドルギヤ４の外径より一回り大きな穴をギヤボックス５の上面に開けることができる。
アイドルギヤ４とその蓋体４２は上方に取り外すことができ、これらを取り外すことにより、図４に示すように、ギヤボックス５を単体毎に前方に引き出すことが可能となる。
なお、本実施例の動力伝達機構はギヤを用いるため、従来のチェーン駆動に対しては、チェーンの緊張作業等が不要である。
【００１８】
かくして、本実施例のディスク型スクリーンは、ディスク１を所定間隔で軸に串装してディスク軸２を形成するとともに、複数のディスク軸２を隣接するディスク軸２のディスク１同士が互いに噛み合うように平行に配列し、各ディスク軸２を同方向に連動して回転駆動する動力伝達機構を備えたディスク型スクリーンにおいて、動力伝達機構を、ディスク軸２の上部に同軸に設けたディスク軸ギヤ３と、隣接するディスク軸ギヤ３間の動力伝達を行うアイドルギヤ４と、該ディスク軸ギヤ３とアイドルギヤ４を収容するギヤボックス５とを備えて構成するとともに、アイドルギヤ４の軸心４３をディスク軸ギヤ３の軸心３２を結ぶ線からずらせて配設し、かつギヤボックス５を隣接するディスク軸ギヤ３の間で分離可能に構成されていることから、２個のアイドルギヤ４を抜き取って、その間のディスク軸ギヤ３をギヤボックス５ごと取り外すことにより、１本のディスク軸２のみを吊り上げて容易に取り外すことができ、これにより、該当するディスク軸２のみを点検修理し、維持管理性を向上させることができる。
この場合、アイドルギヤ４をディスク軸ギヤ３の軸心を結ぶ線からずらせて配設することにより、容易にアイドルギヤ４を抜き出せる構造とし、アイドルギヤ４の抜き取り後にその間のディスク軸ギヤ３とギヤボックス５を容易に外せる構造としている。
【００１９】
また、ギヤボックス５を水密構造に構成することにより、ディスク型スクリーンの水位を超え動力伝達機構が水没した場合でも、ディスク軸２を回転させてディスク型スクリーンの運転を続けることができる。
【００２０】
また、分離する１つのギヤボックス５で１本のディスク軸２に対応し、ギヤボックス５を連結しディスク軸２を配列して、所定幅のスクリーンを形成することにより、ディスク型スクリーンを設置する取水口の幅に応じ、ディスク軸数の増減で容易に対応することができる。
【００２１】
以上、本発明のディスク型スクリーンについて、その実施例に基づいて説明したが、本発明は上記実施例に記載した構成に限定されるものではなく、例えば、本実施例において、アイドルギヤ４をディスク軸ギヤ３の軸心３２を結ぶ線からずらせて前方に配設することに代えて、後方に配設するようにしたり、ディスク軸ギヤ３とギヤボックス５を前方に引き抜くことに代えて、後方に引き抜くようにする等、その趣旨を逸脱しない範囲において適宜その構成を変更することができる。
【産業上の利用可能性】
【００２２】
本発明のディスク型スクリーンは、装置全体を吊り上げることなく、該当するディスク軸のみを吊り上げて点検修理をすることができるという特性を有していることから、維持管理性に優れたディスク型スクリーンとして、各種取水口や下水道合流改善スクリーン等の下水処理に関する來雑物分離の用途に広く好適に用いることができる。
【図面の簡単な説明】
【００２３】
【図１】本発明のディスク型スクリーンの動力伝達機構の一実施例を示す断面図である。
【図２】同動力伝達機構を示し、（ａ）はその平面図、（ｂ）は同側面図である。
【図３】同動力伝達機構を一部分解した状態を示す断面図である。
【図４】同平面図である。
【図５】同動力伝達機構を示す正面図である
【図６】同実施例のディスク型スクリーンを示し、（ａ）はその平面図、（ｂ）は同正面図である。
【図７】同ディスク型スクリーンの側面図である。
【図８】従来のディスク型スクリーンの動力伝達機構を示し、（ａ）はその平面図、（ｂ）は同正面図である。
【図９】同動力伝達機構の拡大平面図である。
【符号の説明】
【００２４】
１    ディスク
２    ディスク軸
３    ディスク軸ギヤ
３１  カップリング
３２  軸心
４    アイドルギヤ
４１  軸下部嵌合部
４２  蓋体
４３  軸心
５    ギヤボックス
５１  ギヤボックス蓋
５２  オイルシール
６    軸受け
７    モータ
【図１】
0004685851.tif 000002
【図２】
0004685851.tif 000003
【図３】
0004685851.tif 000004
【図４】
0004685851.tif 000005
【図５】
0004685851.tif 000006
【図６】
0004685851.tif 000007
【図７】
0004685851.tif 000008
【図８】
0004685851.tif 000009
【図９】
0004685851.tif 000010